(57)【特許請求の範囲】
【請求項１】
魚釣りに用いるルアーであって、
中空部材であり腹部側の稜線上に形成され部分的に下方に突出している突起部を有するルアー本体と、
前記ルアー本体の腹部側の稜線に沿ってその表面に露出しながら長手方向に配置されつつ前記突起部を長手方向に貫通しているワイヤとを備え、
前記ワイヤは前記ルアー本体の頭部側端部及び尾部側端部に於いてそれぞれ前記ルアー本体内に埋め込まれており、この埋め込まれた部分の一部がそれぞれ頭部側又は尾部側に突出して止め輪部分を形成しているルアー。
【請求項２】
前記ワイヤは前記突起部を長手方向に貫通しつつ、前記突起部の部分において下方に部分的に突出して止め輪部分を形成している、請求項１に記載のルアー。
【請求項３】
前記ルアー本体の中空に長手方向に移動自在に配置された錘を更に備える、請求項１又は２に記載のルアー。
【発明の詳細な説明】
【０００１】
【発明の属する技術分野】
本発明は魚釣りに用いるルアー、特に、硬質合成樹脂からなる中空のルアー本体を有するルアーに関する。
【０００２】
【従来の技術】
従来の魚釣りに用いるルアーの中には、ABS樹脂等の硬質合成樹脂ならなる中空のルアー本体を有するものがある。
この種のルアーは、例えば、左右半割の部材を開口面側で貼り合わせて形成されるルアー本体を有し、そのルアー本体の内部に長手方向に移動自在に錘が配置される。また、図５に示すように、ルアー本体１０１の半割部材の腹部側の貼り合わせ面には溝が設けられており、この溝内にワイヤ１０２が配置される。このワイヤ１０２はルアー本体１０１の頭部側端部及び尾部側端部でそれぞれルアー本体から外部に突出してリングを形成しており、この各リングに、釣糸及び釣針がそれぞれ連結される。
【０００３】
このような従来のルアーでは、ルアー本体１０１に埋め込まれたワイヤ１０２に直接釣糸及び釣糸が連結されるので、魚が釣針にかかって大きな負荷がかかってもルアーが破損しにくい。また、ルアー本体１０１内部に配置された錘が、状況に応じてルアーの重心位置に変化を付けている。
【０００４】
【発明が解決しようとする課題】
しかし、このような従来のルアーでは、ワイヤ１０２をルアー本体１０１に埋め込むために、ルアー本体１０１の厚みを一定以上に設定する必要が生じる。即ち、ワイヤ１０２の強度をある程度保つ為にはワイヤ１０２の径自体を一定以上のものとする必要が生じるが、このような一定の径のワイヤ１０２を埋め込んだ上でルアー本体１０１の腹部側壁を構成するためには、（ワイヤ１０２の径）＋（そのワイヤ１０２を挟み込むだけのルアー本体１０１の厚さ）が必要となる。例えば、ワイヤ１０２の径を１mmと仮定し、少なくともルアー本体１０１の腹部側にはワイヤ１０２の上部及び下部にそれぞれ１mmの肉厚を要求すれば、全体として、ルアー本体１０１の腹部側は３ｍｍ以上の肉厚が必要となる。
【０００５】
このようなルアー本体の腹部側の厚さの増加はルアー本体自体の重量化を招くと共に、内部に配置される錘の低位置化を阻害する一因ともなる。錘はなるべく低位置に配置して安定したルアーの泳動姿勢を演出したい。
また、このようなルアー本体の厚肉化は、当然、同じ大きさのルアーを形成した場合に於けるルアー本体の内部の中空部分の体積の減少を招く。そして、このような中空部分の体積の減少はルアーの浮力の低下や錘収納スペースの低下などを招く。
【０００６】
本発明の課題は、全体の重量化を抑えつつ低重心の安定した状態で泳動するルアーを提供することにある。
【０００７】
【課題を解決するための手段】
発明１のルアーは、魚釣りに用いるルアーであって、中空部材であり腹部側の稜線上に形成され部分的に下方に突出している突起部を有するルアー本体と、ルアー本体の腹部側の稜線に沿ってその表面に露出しながら長手方向に配置されつつ前記突起部を長手方向に貫通しているワイヤとを備えている。そして、ワイヤはルアー本体の頭部側端部及び尾部側端部に於いてそれぞれルアー本体内に埋め込まれており、この埋め込まれた部分の一部がそれぞれ頭部側又は尾部側に突出して止め輪部分を形成している。
【０００８】
このルアーは、ワイヤの頭部側，尾部側端部の止め輪部分にそれぞれ釣糸と釣針とを連結して用いられる。釣針に魚がかかって大きな負荷がかかった場合にはワイヤがこの負荷を直接受けてルアー本体自体の破損を抑える。このワイヤはルアー本体の腹部側をそって長手方向に伸びているが、ルアー本体の腹部側の表面に沿って配置され、ルアー本体の腹部側に部分的に形成される突起部がルアー本体の腹部側でのワイヤの固定を担っている。このため、従来のルアーのようにワイヤを収納するためにルアー本体の腹部側の肉厚化を施す必要がない。
【０００９】
発明２のルアーは、発明１のルアーであって、ワイヤは突起部を長手方向に貫通しつつ、突起部の部分において下方に部分的に突出して止め輪部分を形成している。
このルアーは、突起部の部分においてワイヤが下方に突出して形成された止め輪に更に必要な釣針などを連結して用いられる。ワイヤに直接釣針を連結することで、この釣針に大きな負荷がかかってもルアー本体は破損し難い。また、突起部分において止め輪が形成されることで、釣針を安定した状態で連結可能である。
【００１０】
発明３のルアーは、発明１又は２の何れかのルアーであって、ルアー本体の中空に長手方向に移動自在に配置された錘を更に備えている。
このルアーでは、ルアー本体の腹部側の肉厚を薄く設定可能であり、ルアー本体の中空内に配置する錘がより低位置化する。また、腹部側の肉厚を薄く設定可能となることで、従来のルアーと同一の外径を有しつつ内部の中空の空間を大きく設定することも可能となり、錘を収納するスペースが十分に確保できる。
【００１１】
【発明の実施の形態】
［第１実施形態］
以下、本発明の第１実施形態について図面を参照しつつ説明する。
本発明の第１実施形態を採用したルアーは、図１に示すように、外形を魚に似せて形成した中空のルアー本体１を有する。そして、ルアー本体１の頭部から尾部にかけてはその腹部側の表面に沿って外部に露出しながらワイヤ２が配置されており、ルアー本体１の内部には錘１１が配置されている。
【００１２】
ルアー本体１は、左右一対の半割部材を開口面側で貼り合わせて形成されるＡＢＳ樹脂等の硬質合成樹脂からなる部材である。その外形は魚に似せて形成されており、表面には魚の目や鱗模様等が描かれる。また、頭部側下面には斜め下方に突出するリップ１ａが一体的に形成されている。
このルアー本体１の腹部側においては、その稜線に沿って長手方向に一定の間隔を隔てて下方側に箱状の突出する突起部３がルアー本体１と一体的に形成されており、この突起部３部分を除くルアー本体１の腹部側の稜線に沿って凹溝１ｂが形成されている（図３参照）。上述のようにルアー本体１は左右一対の半割部材からなるものなので、この凹溝１ｂも半割部材の開口面に半割で形成され、貼り合わせ面を貼り合わせて構成されることになる。また、突起部３もこの半割部材を貼り合わせて形成される。この突起部３を形成する半割部材の貼り合わせ面には、ルアー本体１の長手方向両端側からそれぞれ上述の凹溝１ｂに連続して下方向に折れ曲がり下方向へ貫通する溝が形成されている。
【００１３】
また、このルアー本体１の頭部側及び尾部側の端部においても、上述の凹溝１ｂに連続して溝が形成される。この溝は半割部材の貼り合わせ面の幅方向中央付近を貫きながら頭部側及び尾部側端部に向かって外部に至っている。さらに、ルアー本体１の頭部側及び尾部側端部には頭部側端部及び尾部側端部の半割部材の貼り合わせ面にはＬ字型に溝が形成されている。このＬ字型の溝は、詳細に述べれば、それぞれ頭部側と尾部側に向かって一端側がルアー本体１の外部に連通し、他端側がルアー本体１の上部側に向かって略直角上に折り曲がっている。そして、これらの各溝１ｂ等に後述のワイヤ２が埋め込まれる。
【００１４】
ワイヤ２は金属製の線状部材である。必要に応じて超弾性を有する形状記憶合金などを素材に用いてもよい。このワイヤ２は、図１に示すように、ルアー本体１の半割部材の貼り合わせ面に形成される溝及び凹溝１ｂ，突起部３の溝に配置され、半割部材を貼り合わせることでルアー本体１に固定されている。溝１ｂはルアー本体１の腹部側の稜線に沿って外部に露出しながらルアー本体１の周面に配置されることになる（図４参照）。
【００１５】
また、ワイヤ２は上述のように各溝１ｂ等に配置されるに当たって、部分的に溝１ｂ等からリング状にはみ出している部分がある。具体的には、ルアー本体１の頭部側端部及び尾部側端部，突起部３の部分でワイヤ２はリング状にルアー本体１からはみ出している。このはみ出している部分が、それぞれ、頭部側端部において釣糸係止部４に、尾部側端部において釣針係止部５に、突起部３の部分において、釣針係止部６になっている。なお、この釣針係止部５，６には、それぞれスプリットリング７，８を介して釣針９，１０が連結される。
【００１６】
錘１１は、鉛やタングステン等の金属若しくはこれらの金属粉末をゴム樹脂に混入して球状に形成したものである。この実施形態では２つの錘１１を配置しているが、必要に応じて複数の錘１１を配置してもよい。これら各錘１１はルアー本体１内を長手方向に移動自在に配置される。必要に応じて、ルアー本体１の中空の一部を区分けして錘通路を形成してもよい。
【００１７】
このルアーは、ワイヤ２の頭部側の外部にはみ出したリング状の部分である釣糸係止部４に釣糸を係止し、腹部側の釣針連結部６及び尾部側の釣針連結部７にそれぞれ釣針９，１０を連結して用いる。水中に投じられる際には、錘１１が飛翔方向となるルアー本体１の尾部側に移動して重心位置を尾部側に傾けて飛翔姿勢を安定させている。着水後は錘１１が頭部側に移動してルアー本体１の泳動姿勢を安定させている。
【００１８】
水中で魚が釣針９，１０に係り、釣針９，１０からルアーに対して大きな負荷がかかった場合、ワイヤ２が直接この負荷を直接受けてルアー本体１自体の破損を抑えている。このワイヤ２は図４に示すように、ルアー本体１の腹部側の稜線にそって長手方向に伸びており、ルアー本体１に埋め込まれたものではなく、ルアー本体１の腹部側に部分的に形成される突起部３がルアー本体１の腹部側でのワイヤ２の固定を担っている。このため、ルアー本体１の腹部側を厚肉化する必要がなくなるのである。そして、このようなルアー本体１の腹部側の非厚肉化は従来のルアーに比べて錘１１の低位置化を可能とし、ルアーの泳動姿勢の安定化に資することになる。
【００１９】
また、このような腹部側の非厚肉化は、同外径のルアーを形成する場合に、より内部の中空部分の体積を大きく設定できることになるので、浮力の増加が図られ・錘収納用空間の確保も容易となる。
［他の実施形態］
（ａ）上記実施形態では突起部３を２カ所に設けており、両突起部３に於いて釣針を連結することも可能である。また、突起部３の数は任意であり、上記実施形態に限定されるものではない。
（ｂ）上記実施形態では、ルアー本体１の腹部側の稜線に沿って溝1bを形成した場合を示しているが、必ずしもこれを設ける必要はない。突起部３の溝へのはめ込みのみでも対応可能である。
【００２０】
【発明の効果】
本発明のルアーによれば、ルアーの重量化を抑え、且つ、低重心の安定した状態で泳動させることが可能である。
【図面の簡単な説明】
【図１】本発明の第１実施形態を採用したルアーの断面図。
【図２】図１のII-II断面図。
【図３】図１のIII-III断面図。
【図４】図１のルアーを底面側から見た図。
【図５】従来のルアーの断面図。
【符号の説明】
１  ルアー本体
２  ワイヤ
３  突起部
【図１】
0003884323.tif 000002
【図２】
0003884323.tif 000003
【図３】
0003884323.tif 000004
【図４】
0003884323.tif 000005
【図５】
0003884323.tif 000006